(57)【要約】【課題】可動部材が取り付けられる枠体の補強を効果的に行って、枠体の曲げ変形による隙間の発生を防止することができる遊技機用ヒンジ装置を提供する。【解決手段】可動部材２は取付枠部２１の上端部に上軸保持部２３を水平方向に突設し、取付枠部２１の下端部に下軸受部２２を水平方向に突設する。固定部材１は取付枠部１１の上端部に上軸受部１３を水平方向に突設し、取付枠部１１の下端部に下軸保持部１２を水平方向に突設する。固定部材の上軸受部１３には軸受孔１５が穿設され、固定部材の下端部の下軸保持部１２には軸ピン１が上向きに突設される。可動部材２の上軸保持部２３には軸ピン２４が上向きに突設され、可動部材の下軸受部２２には軸受孔２５が穿設される。固定部材の取付枠部は横断面を略コ字状に形成されて内側に嵌入凹部１１ａを有し、可動部材の取付枠部はその嵌入凹部１１ａに嵌入される正面折曲縁部２１ａを有している。【選択図】図２
2008023190.tif 000002
【特許請求の範囲】
【請求項１】
枠体に固定される可動部材と被固定枠に固定される固定部材とを、軸ピンを有した軸保持部と該軸ピンが嵌合する軸受孔を有した軸受部とを介して着脱可能に組み付け、遊技機の該枠体を被固定枠に対し該軸ピンを中心に開閉可能に支持する遊技機用ヒンジ装置であって、
該可動部材は長尺の取付枠部の上端部に上軸保持部を水平方向に突設すると共に、該取付枠部の下端部に下軸受部を水平方向に突設して形成され、該固定部材は長尺の取付枠部の上端部に上軸受部を水平方向に突設すると共に、該取付枠部の下端部に下軸保持部を水平方向に突設して形成され、該固定部材の上軸受部には軸受孔が穿設される一方、該固定部材の下端部の下軸保持部には軸ピンが上向きに突設され、該可動部材の上軸保持部には軸ピンが上向きに突設される一方、該可動部材の下軸受部には軸受孔が穿設され、該固定部材の取付枠部は横断面を略コ字状に形成されて内側に嵌入凹部を有し、該可動部材の取付枠部は横断面の一部を略Ｌ字状とするＬ字状部を有して形成され、該固定部材の取付枠部は横断面略コ字状の開口部を側方に向けて該被固定枠に固定され、該枠体の閉鎖時、該可動部材の取付枠部の該Ｌ字状部が該固定部材の略コ字状断面の取付枠部の嵌入凹部内に嵌入することを特徴とする遊技機用ヒンジ装置。
【請求項２】
前記枠体はパチンコ遊技機のガラス枠であり、前記被固定枠は該ガラス枠が取り付けられる表枠であって、前記可動部材は該ガラス枠の内側縁部に固定されると共に、前記固定部材は該表枠の内側縁部に固定されることを特徴とする請求項1記載の遊技機用ヒンジ装置。
【請求項３】
前記可動部材の上軸保持部が前記固定部材の上軸受部の下側に重なるように位置すると共に、該可動部材の下軸受部が該固定部材の下軸保持部の上側に重なるように位置し、該固定部材の取付枠部における上軸受部の真下には、該ガラス枠の閉鎖時に該可動部材の上軸保持部を進入させるための開口部が形成されたことを特徴とする請求項1記載の遊技機用ヒンジ装置。                                                                        
【発明の詳細な説明】
【技術分野】
【０００１】
本発明は、パチンコ遊技機のガラス枠などを開閉可能に支持するヒンジとして好適な着脱式の遊技機用ヒンジ装置に関する。
【背景技術】
【０００２】
例えば、パチンコ遊技機のガラス枠を開閉可能に支持するヒンジ装置は、通常、パチンコ遊技機の表枠の左側端部の上部と下部に、軸孔を設けたヒンジ支持板を水平に突設し、ガラス枠の対応する上部と下部に、ヒンジピンが水平固定部の下面に下向き鉛直方向に突設され、その上下のヒンジピンを表枠側のヒンジ支持板の軸孔に嵌入し、ガラス枠はヒンジピンを軸に開閉可能に取り付けられるように構成されている。このような着脱式の遊技機用ヒンジ装置は、例えば下記の特許文献１に記載されている。
【特許文献１】特開２００２−２１９２５３号公報
【発明の開示】
【発明が解決しようとする課題】
【０００３】
ところで、近年、パチンコ遊技機のガラス枠は、合成樹脂で成形されると共に大型化する傾向にあり、合成樹脂製の枠体の内側開口部に板ガラスを嵌め込み、略表枠と同様な大きさのガラス枠が、表枠の正面側にヒンジ装置を介して開閉可能に装着される。このようなガラス枠は、合成樹脂製のため、強度を付与するために、補強用金属枠をその裏面に固定することも行なわれている。
【０００４】
しかしながら、従来のパチンコ遊技機の表枠に使用される補強用金属枠は単純なＩ型断面或いはＬ型断面の金属板を単純に加工した構造であり、さらに、補強用金属枠とヒンジ装置は別個に成形され、ヒンジ装置の上部ヒンジと下部ヒンジは、表枠とガラス枠の左側端部に補強用金属枠とは関わりのない状態で固定される。このため、遊技者がガラス枠の上皿などを持って強く引き、或いは押した場合、ガラス枠に曲げが発生しやすく、特に施錠具のないヒンジ側の左辺部が前方に曲げられた場合、左辺部に隙間が生じやすい。
【０００５】
このようなガラス枠と表枠との間の隙間は、左辺部のヒンジ側の隙間であっても、その隙間から針金や薄板などの不正器具が差し込まれる場合があり、不正器具が遊技盤上の障害釘や役物などに達すると、不正に遊技球の入賞などが発生し、遊技球の不正払い出しが行なわれやすいという課題があった。
【０００６】
本発明は、上述の課題を解決するものであり、可動部材が取り付けられる枠体の補強を効果的に行って、枠体の曲げ変形による隙間の発生を防止することができる遊技機用ヒンジ装置を提供することを目的とする。
【課題を解決するための手段】
【０００７】
本発明に係る遊技機用ヒンジ装置は、枠体に固定される可動部材と被固定枠に固定される固定部材とを、軸ピンを有した軸保持部と該軸ピンが嵌合する軸受孔を有した軸受部とを介して着脱可能に組み付け、遊技機の該枠体を被固定枠に対し該軸ピンを中心に開閉可能に支持する遊技機用ヒンジ装置であって、該可動部材は長尺の取付枠部の上端部に上軸保持部を水平方向に突設すると共に、該取付枠部の下端部に下軸受部を水平方向に突設して形成され、該固定部材は長尺の取付枠部の上端部に上軸受部を水平方向に突設すると共に、該取付枠部の下端部に下軸保持部を水平方向に突設して形成され、該固定部材の上軸受部には軸受孔が穿設される一方、該固定部材の下端部の下軸保持部には軸ピンが上向きに突設され、該可動部材の上軸保持部には軸ピンが上向きに突設される一方、該可動部材の下軸受部には軸受孔が穿設され、該固定部材の取付枠部は横断面を略コ字状に形成されて内側に嵌入凹部を有し、該可動部材の取付枠部は横断面の一部を略Ｌ字状とするＬ字状部を有して形成され、該固定部材の取付枠部は横断面略コ字状の開口部を側方に向けて該被固定枠に固定され、該枠体の閉鎖時には該可動部材の取付枠部の該Ｌ字状部が該固定部材の略コ字状断面の取付枠部の内側に嵌入することを特徴とする。
【０００８】
ここで、上記枠体はパチンコ遊技機のガラス枠であり、上記被固定枠は該ガラス枠が取り付けられる表枠であって、上記可動部材は該ガラス枠の内側縁部に固定されると共に、上記固定部材は該表枠の内側縁部に固定されるように構成することができる。
【０００９】
また、上記可動部材の上軸保持部が上記固定部材の上軸受部の下側に重なるように位置すると共に、該可動部材の下軸受部が該固定部材の下軸保持部の上側に重なるように位置し、該固定部材の取付枠部における上軸受部の真下に、該ガラス枠の閉鎖時に上記可動部材の上軸保持部を進入させるための開口部を形成することができる。
【発明の効果】
【００１０】
上記構成の遊技機用ヒンジ装置は、その可動部材の取付枠部がパチンコ遊技機の例えばガラス枠の内側縁部に固定され、固定部材の取付枠部はパチンコ遊技機の表枠の内側縁部に固定される。そして、可動部材の上軸保持部が固定部材の上軸受部の下側に重なるように、上軸保持部の軸ピンが上軸受部の軸受孔に嵌入され、可動部材の下軸受部が固定部材の下軸保持部の上側に重なるように、下軸受部の軸受孔が下軸保持部の軸ピンに嵌入されて、組み付けられる。
【００１１】
可動部材の取付枠部は横断面の一部を略Ｌ字状とするＬ字状部を有して形成され、それがガラス枠の内側縁部に固定されるため、ガラス枠の縁部の強度を良好に補強することができる。また、可動部材の上軸保持部と下軸受部は取付枠部と一体に形成され、ガラス枠の重量荷重は上軸保持部と下軸受部を介して取付枠部に分散するため、ガラス枠の重量が増大した場合でも、ガラス枠に変形荷重を生じさせずに、円滑に開閉可能な状態とすることができる。
【００１２】
ガラス枠の開閉操作時、可動部材は上軸保持部の軸ピンと下軸保持部の軸ピンを中心に回動し、開閉動作するが、ガラス枠を閉鎖した場合、ガラス枠側の可動部材の取付枠部のＬ字状部は、固定部材の略コ字状断面の取付枠部の嵌入凹部内に嵌入した状態となる。
【００１３】
このため、遊技者がガラス枠の下部に設けた上皿などを持って強く押し或いは引いた場合でも、その荷重は、嵌合したガラス枠側の可動部材の取付枠部のＬ字状部と固定部材の略コ字状断面の取付枠部との間で保持される。したがって、取付枠部に変形は発生せず、このような引張荷重或いは押圧荷重の印加によって、ガラス枠のヒンジ部近傍で隙間が生じることはない。
【００１４】
よって、ガラス枠の良好な閉鎖性は確実に保持され、ヒンジ側のガラス枠と表枠間の隙間は生じないから、針金や薄板などの不正器具を使用した不正行為を防止することができる。また、仮に、ヒンジ側のガラス枠と表枠間の接合部から、無理やり薄板状の不正器具を差し込もうとしても、その接合部の内側に可動部材と固定部材の取付枠部が縦方向に連続して位置し、これが壁となって不正器具を差し込むことができず、不正行為を防止することができる。
【発明を実施するための最良の形態】
【００１５】
以下、本発明の一実施形態を図面に基づいて説明する。図１はパチンコ遊技機のガラス枠３２に使用されるヒンジ装置の可動部材２を閉じた状態の正面図を、図２は同状態の右側面図を示し、図３は可動部材２を開いた状態の正面図を、図４は同状態の右側面図を示している。
【００１６】
本ヒンジ装置は、概略的には、枠体としてのガラス枠３２に固定される可動部材２と、被固定枠としての表枠３１に固定される固定部材１とを、上部ヒンジ部と下部ヒンジ部を介して開閉可能に組付けて構成される。下部ヒンジ部は、軸ピン１４を有した下軸保持部１２と軸ピン１４が嵌合する軸受孔２５を有した下軸受部２２とを介して着脱可能に組み付けてなり、上部ヒンジ部は、軸ピン２４を有した上軸保持部２３と軸ピン２４が嵌合する軸受孔１５を有した上軸受部１３とを介して着脱可能に組み付けて構成され、本ヒンジ装置は、パチンコ遊技機のガラス枠３２と表枠３１間に取り付けられ、ガラス枠３２を表枠３１に対し、下部の軸ピン１４と上部の軸ピン２４を中心に開閉可能に支持する。
【００１７】
図７〜図９に示すように、固定部材１は、長尺の取付枠部１１の上端部に、板状の上軸受部１３を前方に水平に突設すると共に、取付枠部１１の下端部に板状の下軸保持部１２を前方に水平に突設して形成される。固定部材１の上軸受部１３の先端近傍に軸受孔１５が穿設され、固定部材１の下端部の下軸保持部１２の先端近傍に軸ピン１４が上向きに突設される。軸受孔１５の軸心位置と軸ピン１４の軸心位置は１本の軸線上に配置され、軸線は取付枠部１１の長手方向に平行に設定される。
【００１８】
固定部材１の取付枠部１１はその横断面が略コ字状に、略チャンネル材状に形成され、その内側に嵌入凹部１１ａが取付枠部１１の長手方向に沿って、その略全長にわたり形成されている。コ字状断面の取付枠部つまり嵌入凹部１１ａの開口部は、正面（上軸受部１３、下軸保持部１２が突出する方向）に対し右側方向を向くように形成されている。つまり、固定部材１をその上軸受部１３、下軸保持部１２が前方に突出する姿勢で、取付枠部１１の嵌入凹部１１ａの底面は右方向を向き、嵌入凹部１１ａの側壁１１ｂは正面側を向くように形成される。
【００１９】
また、取付枠部１１の取付面が嵌入凹部１１ａの背面壁１１ｃとして形成され、図７に示すように、この背面壁１１ｃに複数の固定孔１７が形成される。さらに、背面壁１１ｃには複数の係止フック部１６が背面側に突設される。また、固定部材１の取付枠部１１における上軸受部１３の真下に、ガラス枠３２の閉鎖時、可動部材２の上軸保持部２３を進入させるための開口部１８が側壁１１ｂを削除する形態で形成されている。固定部材１を表枠３１の内側に固定する場合、この背面壁１１ｃの係止フック部１６を表枠３１のスリットに差し込むと共に、背面壁１１ｃを表枠３１の内側に当て、固定孔１７に固定ねじをねじ込み、固定する。
【００２０】
可動部材２は、図１０〜図１２に示すように、長尺の取付枠部２１の上端部に上軸保持部２３を水平方向に突設すると共に、取付枠部２１の下端部に下軸受部２２を水平方向に突設して形成される。可動部材２の上軸保持部２３には軸ピン２４が上向きに突設され、可動部材２の下軸受部２２には軸受孔２５が穿設される。
【００２１】
可動部材２の取付枠部２１は、長尺の帯板の縁部を折り曲げて形成される。取付枠部の左側縁部は長手方向に沿って正面側に折り曲げて正面折曲縁部２１ａとなり、且つ帯板の右側縁部は背面側に折り曲げて背面折曲縁部２１ｂとしている。そして、この取付枠部２１は、その正面側と背面側の両部分における横断面形状が、略Ｌ字状となっている。可動部材２の取付枠部２１の正面は、図１２に示すように、上軸保持部２３の先端部が突出する方向であり、背面は正面の反対方向である。
【００２２】
このように、その正面折曲縁部２１ａを含む横断面は正面側の一部が略Ｌ字状とされ、その背面折曲縁部２１ｂを含む背面側の横断面の一部も略Ｌ字状に形成され、これによって、長尺の取付枠部２１の長手方向の曲げ強度を大きく補強している。また、可動部材２の取付枠部２１の正面折曲縁部２１ａを含むＬ字状断面部は、ガラス枠３２の閉鎖時に、図５に示すように、固定部材１における略コ字状断面の取付枠部１１の内側つまり嵌入凹部１１ａに嵌入するように形成されている。
【００２３】
固定部材１は、図１４、図１８に示すように、表枠３１の正面側の左側縁部に縦に取り付けられる。取付は、その取付枠部１１の背面壁１１ｃを表枠３１の正面に当て、上軸受部１３と下軸保持部１２の先端を正面に突き出すようにして、そこに穿設された複数の固定孔１７に固定ねじをねじ込み固定する。表枠３１は図１８のように、遊技機の本体枠３０の前面にヒンジ装置３３を介して開閉可能に装着されている。
【００２４】
一方、可動部材２は、図１３、図１８、図１９などに示すように、ガラス枠３２の背面の左側縁部にその取付枠部２１の取付面つまりその内側面を当て、そこに形成された固定孔２７に固定ねじをねじ込み、固定する。このとき、可動部材２の上軸保持部２３は、図１９に示すように、ガラス枠３２の左側縁部の上部に設けたスリットに挿通されて、その先端部近傍の軸ピン２４が正面側に突き出し、下軸受部２２もガラス枠３２の下端部から正面側に突き出し、その先端部近傍の軸受孔２５が正面側に突出する状態となる。
【００２５】
このように可動部材２を固定したガラス枠３２を、表枠３１の正面側に装着する場合、ガラス枠３２を開いた状態で持ち、可動部材２を固定部材１に近づけ、先ず、その上部の上軸保持部２３の軸ピン２４を、固定部材１の上軸受部１３の軸受孔１５に下側から挿入し、次に、その下部の下軸受部２２の軸受孔２５を、固定部材１の下軸保持部１２の軸ピン１４の真上に位置させ、そのまま可動部材２を少し下げるようにして、軸受孔２５を軸ピン１４に嵌め込む。このとき、上部の上軸保持部２３の軸ピン２４と上軸受部１３の嵌合はそのまま保持され、図１、図２のように、上下の軸ピン２４，１４は上下の軸受孔１５，２５に嵌った状態となり、ヒンジ装置は組み付けられ、ガラス枠３２は表枠３１に対し開閉可能に取り付けられる。
【００２６】
一方、ガラス枠３２の可動部材２を表枠３１の固定部材１から外す場合、表枠３１に対しガラス枠３２を少し持ち上げると、可動部材２の下軸受部２２が下軸保持部１２の軸ピン１４から外れ、次に可動部材２を少し斜めにしてその位置を下げれば、上軸保持部２３の軸ピン２４が上軸受部１３から外れ、ガラス枠３２の可動部材２を外すことができる。
【００２７】
可動部材２の取付枠部２１は正面折曲縁部２１ａと背面折曲縁部２１ｂを有して横断面を略Ｌ字状とし、それがガラス枠３２の内側縁部に固定されるため、ガラス枠３２の縁部の強度を良好に補強することができる。また、可動部材２の上軸保持部２３と下軸受部２２は取付枠部２１と一体に形成され、ガラス枠３２の重量荷重は上軸保持部２３と下軸受部２２を介して取付枠部２１に分散するため、ガラス枠２１に変形荷重を生じさせずに、円滑に開閉可能な状態で装着することができる。
【００２８】
そして、ガラス枠３２の開閉時、それを開いた場合、図１８のように、可動部材２の取付枠部２１は固定部材１の取付枠部１１から離れるが、ガラス枠３２を表枠３１に対し閉じた場合、図１５に示すように、可動部材２の取付枠部２１が固定部材１の取付枠部１１の嵌入凹部１１ａ内に嵌入した状態となる。つまり、取付枠部２１の略Ｌ字状断面に正面折曲縁部２１ａが、側壁１１ｂと背面壁１１ｃで囲まれた嵌入凹部１１ａ内に嵌入する。
【００２９】
このため、パチンコ遊技機のガラス枠３２が上皿などを持って強く引っ張られ、ガラス枠３２のヒンジ側の左辺部が変形荷重を受けた場合、可動部材２の取付枠部２１の正面折曲縁部２１ａが固定部材１の取付枠部１１の側壁１１ｂに当接して、ガラス枠３２の変形を阻止する。したがって、ガラス枠３２が正面側に強く引っ張られた場合などに、ガラス枠３２のヒンジ側に生じやすい隙間の発生を防止することができる。
【００３０】
また、仮に、ヒンジ側のガラス枠３２と表枠３１間の接合部から、無理やり薄板状の不正器具を差し込もうとしても、その接合部の内側に可動部材２と固定部材１の取付枠部１１，２１が縦方向に連続して位置し、これが壁となって不正器具を差し込むことができず、不正行為を防止することができる。
【００３１】
なお、上記実施形態では、ヒンジ装置の固定部材１を表枠３１に固定し、可動部材２をガラス枠３２に固定したが、固定部材をパチンコ遊技機の本体枠に固定し、可動部材をその表枠に固定し、表枠のヒンジ装置として使用することもできる。また、スロットマシンの前枠をキャビネットに対し開閉可能に取り付けるヒンジ装置として、本発明を使用することもできる。
【図面の簡単な説明】
【００３２】
【図１】本発明の一実施形態を示すヒンジ装置の正面図である。
【図２】同ヒンジ装置の右側面図である。
【図３】開放時のヒンジ装置の正面図である。
【図４】開放時のヒンジ装置の右側面図である。
【図５】閉鎖時のヒンジ装置の拡大平面図である。
【図６】開放時のヒンジ装置の拡大平面図である。
【図７】固定部材の正面図である。
【図８】同固定部材の右側面図である。
【図９】固定部材の拡大平面図である。
【図１０】可動部材の正面図である。
【図１１】可動部材の右側面図である。
【図１２】可動部材の拡大平面図である。
【図１３】ガラス枠に取り付けた状態の可動部材の平面図である。
【図１４】表枠に取り付けた状態の固定部材の平面図である。
【図１５】ガラス枠を閉鎖した状態のヒンジ装置の平面図である。
【図１６】ガラス枠を開放した状態のヒンジ装置の平面図である。
【図１７】ガラス枠を開放した状態のヒンジ装置上部の斜視図である。
【図１８】ガラス枠を開放した状態のヒンジ装置上部の斜視図である。
【図１９】ガラス枠を閉じる際のヒンジ装置上部の斜視図である。
【符号の説明】
【００３３】
１      固定部材
２      可動部材
１１    取付枠部
１１ａ  嵌入凹部
１１ｂ  側壁
１１ｃ  背面壁
１２    下軸保持部
１３    上軸受部
１４    軸ピン
１５    軸受孔
１６    係止フック部
１７    固定孔
１８    開口部
２１    取付枠部
２１ａ  正面折曲縁部
２１ｂ  背面折曲縁部
２２    下軸受部
２３    上軸保持部
２４    軸ピン
２５    軸受孔
２７    固定孔
３１    表枠
３２    ガラス枠                                                                      
【図１】
2008023190.tif 000003
【図２】
2008023190.tif 000004
【図３】
2008023190.tif 000005
【図４】
2008023190.tif 000006
【図５】
2008023190.tif 000007
【図６】
2008023190.tif 000008
【図７】
2008023190.tif 000009
【図８】
2008023190.tif 000010
【図９】
2008023190.tif 000011
【図１０】
2008023190.tif 000012
【図１１】
2008023190.tif 000013
【図１２】
2008023190.tif 000014
【図１３】
2008023190.tif 000015
【図１４】
2008023190.tif 000016
【図１５】
2008023190.tif 000017
【図１６】
2008023190.tif 000018
【図１７】
2008023190.tif 000019
【図１８】
2008023190.tif 000020
【図１９】
2008023190.tif 000021